(57)【要約】【課題】表示札等の表示部材を取り付けることができ、且つ、配線用遮断器等の操作レバーの外面に着脱可能な表示部材取付具を提供する。【解決手段】配線用遮断器２００を操作する操作レバー２０１の外面に着脱される表示部材取付具１であって、操作レバーを一端開口から内部に受け容れて嵌合させる中空筒状の本体１０と、本体の外部に配置されて、機器の操作状況を示した操作禁止札１００を取り付ける取付部２０と、を備えた。取付部は、例えば、操作禁止札１００を構成する環状の紐１０２を係止する手段であってもよいし、操作禁止札１００を構成する表示札１０１又は環状の紐１０２を挟持する手段であってもよい。【選択図】図１
2018120791.tif 000002
【特許請求の範囲】
【請求項１】
機器を操作する操作レバーの外面に着脱される表示部材取付具であって、
前記操作レバーを一端開口から内部に受け容れて嵌合させる中空筒状の本体と、
前記本体の外部に配置されて、前記機器の操作状況を示した表示部材を取り付ける取付部と、を備えたことを特徴とする表示部材取付具。
【請求項２】
前記取付部は、前記表示部材を挟持する挟持手段を備えたことを特徴とする請求項１に記載の表示部材取付具。
【請求項３】
前記取付部は、常時は互いに接近した状態にあり、外力を加えられることにより弾性的に離間する一対の取付片を備えたことを特徴とする請求項１又は２に記載の表示部材取付具。
【請求項４】
前記取付部は、環状の線材を係止可能な鉤状のフックを備えたことを特徴とする請求項１乃至３の何れか一項に記載の表示部材取付具。
【請求項５】
前記取付部は、環状の線材を係止可能な環状部材を備えたことを特徴とする請求項１乃至４の何れか一項に記載の表示部材取付具。
【請求項６】
前記本体の内面に内部滑り止めを備えたことを特徴とする請求項１乃至５の何れか一項に記載の表示部材取付具。
【請求項７】
前記本体の外面に外部滑り止めを備えたことを特徴とする請求項１乃至６の何れか一項に記載の表示部材取付具。
【発明の詳細な説明】
【技術分野】
【０００１】
本発明は、配線用遮断器等の電気機器の操作状況を示す表示部材を取り付ける表示部材取付具に関し、特に、電気機器の操作レバーの外面に着脱される表示部材取付具に関する。
【背景技術】
【０００２】
発電所や変電所等の電気所においては、定期的に各電気設備の補修が行われる。補修作業に際しては、安全確保の観点から配線用遮断器により補修対象の電気設備を停電させる。従来、補修工事中の第三者による配線用遮断器の操作を禁止するため、工事番号・工事名・工事期間・工事担当者等を明記した操作禁止札を操作レバーに取り付けていた。
【０００３】
図８は、従来の操作禁止札の取付状況を示す斜視図である。操作禁止札１００は、工事内容及び第三者の操作を禁止する旨が明記された表示札１０１と、表示札１０１に取り付けられた環状の紐１０２とを備える。操作禁止札１００の取付対象となる配線用遮断器２００は電路を開閉するスイッチング手段であり、電路を開閉操作する操作レバー２０１を備えている。操作レバー２０１に対して操作禁止札１００を取り付けることにより、第三者による操作禁止対象となっている操作レバー２０１を明確にして、レバーの誤操作による事故の発生を防止する。
しかし、操作レバー２０１は表面が平滑であるため、操作レバー２０１に対して紐１０２を複数回巻き付ける方法では、振動や周囲の空気流によって紐１０２が操作レバー２０１の表面を滑動し、操作禁止札１００が操作レバー２０１から脱落することがあった。
【０００４】
上記問題を解決するため、特許文献１には、操作禁止札を操作レバー等に容易、且つ堅固に取り付けるための札取付具が記載されている。札取付具は、操作レバーの外周部に装着される環状の本体と、本体の周方向の異なる位置に形成されて本体の内外を連通する一対の貫通穴とを備える。本体の外部から一方の貫通穴内に挿入した操作禁止札の紐を、本体の中空部内を経由して他方の貫通穴から引き出した状態にて、本体の軸方向一端開口から中空部内に操作レバーを導入する。これにより、操作禁止札の紐を本体と操作レバーとの間で挟持することができ、操作レバーに対して操作禁止札を堅固に取り付けることができる。
【先行技術文献】
【特許文献】
【０００５】
【特許文献１】特開２００９−１１６０２０号公報
【発明の概要】
【発明が解決しようとする課題】
【０００６】
しかし、特許文献１に記載の発明において、操作レバーに対する操作禁止札の着脱のしやすさ及び脱落のしにくさは、操作レバーの外径に対する本体の内径、及び紐の太さ等により左右されるため、未だ改善の余地がある。
本発明は上述の事情に鑑みてなされたものであり、表示札等の表示部材を取り付けることができ、且つ、操作レバーの外面に着脱可能な表示部材取付具を提供することを目的とする。
【課題を解決するための手段】
【０００７】
上記の課題を解決するために、請求項１に記載の発明は、機器を操作する操作レバーの外面に着脱される表示部材取付具であって、前記操作レバーを一端開口から内部に受け容れて嵌合させる中空筒状の本体と、前記本体の外部に配置されて、前記機器の操作状況を示した表示部材を取り付ける取付部と、を備えたことを特徴とする。
請求項２に記載の発明は、前記取付部は、前記表示部材を挟持する挟持手段を備えたことを特徴とする。
請求項３に記載の発明は、前記取付部は、常時は互いに接近した状態にあり、外力を加えられることにより弾性的に離間する一対の取付片を備えたことを特徴とする。
請求項４に記載の発明は、前記取付部は、環状の線材を係止可能な鉤状のフックを備えたことを特徴とする。
請求項５に記載の発明は、前記取付部は、環状の線材を係止可能な環状部材を備えたことを特徴とする。
請求項６に記載の発明は、前記本体の内面に内部滑り止めを備えたことを特徴とする。
請求項７に記載の発明は、前記本体の外面に外部滑り止めを備えたことを特徴とする。
【発明の効果】
【０００８】
本発明によれば、表示部材取付具の本体を操作レバーの外面に着脱でき、取付部に表示部材を取り付けることができる。
【図面の簡単な説明】
【０００９】
【図１】（ａ）、（ｂ）は、本発明の第一の実施形態に係る表示部材取付具、及びその使用状態を示す斜視図である。
【図２】（ａ）〜（ｄ）は、表示部材取付具の使用方法を説明する一部断面側面図である。
【図３】（ａ）〜（ｃ）は、本発明の第二の実施形態に係る表示部材取付具を示す斜視図である。
【図４】（ａ）〜（ｄ）は、本発明の第三の実施形態に係る表示部材取付具を示す図である。
【図５】（ａ）〜（ｄ）は、本発明の第四の実施形態に係る表示部材取付具を示す側面図である。
【図６】本発明の第五の実施形態に係る表示部材取付具を示す断面図である。
【図７】本発明の第五の実施形態に係る表示部材取付具を示す側面図である。
【図８】操作禁止札の取付状況を示す斜視図である。
【発明を実施するための形態】
【００１０】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
【００１１】
〔本発明の適用対象例〕
まず、本発明の適用対象となる装置等の一例について、図１、及び図８を参照して説明する。図１（ａ）、（ｂ）は、本発明の第一の実施形態に係る表示部材取付具、及びその使用状態を示す斜視図である。
図１及び図８に示すように、操作禁止札１００（表示部材）は、工事内容及び第三者の操作を禁止する旨等を表示した表示札１０１（札部材）と、表示札１０１に取り付けられた環状の紐１０２（線材）とを備える。紐１０２は、表示札１０１を吊り下げるために使用される。
図８に示す配線用遮断器２００（機器、電気機器）は、電路を開閉するスイッチング手段であり、電路を開閉操作する操作レバー２０１を備えている。操作レバー２０１は、例えば軸方向（又は長手方向）に略一様な断面形状を有する概略直方体形状であり、その表面は平滑である。従って、操作レバー２０１の外面に紐１０２を巻き付けたとしても紐１０２が操作レバー２０１の表面を滑動してしまい、操作禁止札１００が脱落する虞がある。
そこで、本発明においては、操作禁止札１００を保持した表示部材取付具１を操作レバー２０１の外面に装着することによって、操作禁止札１００の脱落を防止する。
【００１２】
〔第一の実施形態〕
本発明の第一の実施形態に係る表示部材取付具について図１、及び図２に基づいて説明する。図１（ａ）は表示部材取付具を操作レバーに取り付ける様子を示す斜視図であり、（ｂ）は表示部材取付具の使用状態を示す斜視図である。図２（ａ）〜（ｄ）は、表示部材取付具の使用方法を説明する一部断面側面図である。
【００１３】
＜表示部材取付具＞
表示部材取付具１は、操作レバー２０１の外面に着脱される本体１０と、表示札１０１を吊り下げる紐１０２を取り付ける取付部２０と、を備えている。なお、以下においては、表示部材取付具１を操作レバー２０１に対して装着する際に操作レバー２０１側となる側を前方、その反対側を後方として説明する。
【００１４】
＜本体＞
本体１０は概略中空筒状であり、操作レバー２０１を前端（軸方向一端）に設けた開口から中空部１１の内部に受け容れて保持する。中空部１１は、操作レバー２０１の外面に嵌合する内面形状、及び大きさを有している。本例に示す本体１０は後端面１３を有する有底筒状であるが、前後方向に貫通した筒状であってもよい。
本体１０は、例えばシリコンゴム等、弾性変形可能、且つ操作レバー２０１に装着されたときに操作レバー２０１から脱落しない程度の摩擦力（係止力）、弾性力を発揮する材料から構成されている。本体１０を操作レバー２０１の外面に装着したときに、本体１０の内面が操作レバー２０１の外面に密着して、操作レバー２０１からの本体１０の脱落を防止する。
【００１５】
＜取付部＞
取付部２０は、本体１０の外部適所に配置されており、電気機器の操作状況を示した操作禁止札１００を取り付ける部位である。本例に示す取付部２０は、紐１０２を係止可能な鉤状のフック２１，２１（取付片）を備えている。取付部２０は単一のフック２１を備える構成でもよいが、対向配置された複数のフック２１，２１を備える構成でもよい。取付部２０は、図示するように本体１０の周方向の外面に配置されてもよいし、後端面１３に配置されてもよい。
各フック２１，２１は、本体１０の外面によって片持ち支持されている。即ち、図２に示すように、各フック２１，２１の一端部２１ａ，２１ａは本体１０の外面によって支持され、先端部２１ｂ，２１ｂは自由端である。両フック２１，２１は、その先端部２１ｂ，２１ｂが対向するように配置されている。両フック２１，２１は、図示するように前後方向に沿って並べられていてもよいし、前後方向とは交差する方向、或いはその他の方向に沿って並べられていてもよい。
【００１６】
取付部２０は、両フック２１，２１の先端部２１ｂ，２１ｂ間に形成された入口部２３と、両フック２１，２１及び本体１０の外面によって囲繞されることにより形成された保持空間２５とを備える。
保持空間２５は、入口部２３から受け容れた紐１０２を保持する空間である。本例に示す表示部材取付具１を、フック２１，２１が上方に突出した姿勢で使用する場合、紐１０２は本体１０の上面に係止される。保持空間２５内に保持された紐１０２は、表示部材取付具１を操作レバー２０１に装着した時におけるフック２１，２１の突出方向や姿勢に応じて、本体１０の外面又はフック２１，２１の何れか又は双方に係止される。
両フック２１，２１の先端部２１ｂ，２１ｂ同士は常時において密着していてもよいし、離間していてもよい。先端部２１ｂ，２１ｂ同士が常時において離間している場合、常時における入口部２３の間隔は、紐１０２の外径よりも幅広であってもよいが小幅である方が望ましい。本図には入口部２３の幅が常時においては紐１０２の外径よりも小幅な例を示している。
【００１７】
本例において、両フック２１，２１は、本体１０と一体に成形されており、弾性変形可能に構成されている。このため、両フック２１，２１の弾性変形により入口部２３の幅は拡縮する。
【００１８】
図２（ａ）に示すように、本例に示す入口部２３の幅は常時において紐１０２の直径よりも小さく、入口部２３から保持空間２５に向けて紐１０２を押し込むことにより、両フック２１，２１の弾性変形により先端部２１ｂ，２１ｂが離間して入口部２３の幅が拡大し、紐１０２を保持空間２５内に受け入れる（図２（ｂ）、（ｃ））。紐１０２が保持空間２５に挿入された後、フック２１，２１は弾性変形により元の姿勢（形状）に復帰する。また、紐１０２を保持空間２５外に引き出すように外力を加えれば、両フック２１，２１の弾性変形により先端部２１ｂ，２１ｂが離間して入口部２３の幅が拡大し、紐１０２を保持空間２５から取り出すことができる（図２（ｄ）、（ａ））。入口部２３の幅が紐１０２の外径よりも小さいため、紐１０２は、特に外力を加えなければ保持空間２５内に保持され続ける。
【００１９】
＜効果＞
以上のように本実施形態によれば、配線用遮断器２００に変更を加えることなく、操作レバー２０１に操作禁止札１００を取り付けることができる。表示部材取付具１の本体１０は、操作レバー２０１の外面に対して嵌合したときに所定の摩擦力を発揮するので、表示部材取付具１が操作レバー２０１から脱落することを防止できる。また、表示部材取付具１は操作レバー２０１に対して自在に着脱できるので、必要な時にのみ一時的に装着することができる。また、外力を加えなければ、紐１０２を保持空間２５から取り出せないので、取付部２０からの紐１０２の脱落を効果的に防止できる。
なお、表示部材取付具１と操作禁止札１００の合計重量は、操作レバー２０１に表示部材取付具１を取り付けて操作禁止札１００を支持させたときに、その重量により自然に作動しない重量とする必要がある。
【００２０】
〔第二の実施形態〕
図３（ａ）〜（ｃ）は、本発明の第二の実施形態に係る表示部材取付具を示す斜視図である。第一の実施形態と同一の構成には同一の符号を付してその説明を省略する。本実施形態に係る表示部材取付具は、操作禁止札１００の紐１０２を挿通可能な穴部を有する点に特徴がある。
図３（ａ）に示す表示部材取付具２は、操作禁止札１００を取り付ける取付部として環状の紐１０２を係止可能な環状部材３０を備えている。環状部材３０は、本体１０の後端面１３に配置されており、環状部材３０の中央に設けられた穴部３１内に紐１０２を挿通することが可能である。
図３（ｂ）に示す表示部材取付具３は、操作禁止札１００を取り付ける取付部として環状の紐１０２を係止可能な環状部材４０を備えている。環状部材４０は、本体１０の後端面１３に配置されており、環状部材４０の中央に設けられた穴部４１内に紐１０２を挿通することが可能である。
【００２１】
環状部材４０は、概略Ｃ字状の半環状部材４３と、半環状部材４３の両端部間に形成された開口部４５を自在に開閉する開閉片４７とを備える。開閉片４７は一端部４７ａを、半環状部材４３の一端部に設けた軸支部４３ａによって回動（又は揺動）可能に支持されている。開閉片４７は、図中実線で示すように開口部４５を閉止した閉止姿勢と、図中破線で示すように開口部４５を開放した開放姿勢との間で変位する。開閉片４７は、トーションバネ等の弾性付勢部材によって閉止姿勢に弾性付勢されている。
図３（ａ）、（ｂ）に示す環状部材３０，４０は、本体１０とは異なる材料を用いて形成されており、本体１０に対して事後的に取り付けられている。
【００２２】
図３（ｃ）に示す表示部材取付具４は、操作禁止札１００を取り付ける取付部として環状の紐１０２を係止可能な半環状部５０（環状部材）を備えている。半環状部５０は、本体１０の後端面１３から後方に突出しており、半環状部５０と後端面１３との間に形成された穴部５１内に紐１０２を挿通することが可能である。図示する表示部材取付具４のように、半環状部５０は本体１０と一体成形することが可能である。
図３には、本体の後端面１３に環状部材３０，４０又は半環状部５０を配置した例を示しているが、環状部材３０，４０と半環状部５０は、本体１０の周方向の外面に配置されてもよい。
以上のように、本実施形態によっても、必要に応じて表示部材取付具２〜４を操作レバー２０１に対して自在に着脱できる。従って、配線用遮断器２００に変更を加えることなく、操作レバー２０１に操作禁止札１００を係止する（保持させる）ことができる。
【００２３】
〔第三の実施形態〕
図４（ａ）〜（ｄ）は、本発明の第三の実施形態に係る表示部材取付具を示す図である。図４（ａ）は表示部材取付具を前方から観察した斜視図であり、（ｂ）〜（ｄ）は表示部材取付具の使用方法を示した側面図である。第一の実施形態と同一の構成には同一の符号を付してその説明を省略する。
本実施形態に係る表示部材取付具５は、操作禁止札１００を取り付ける取付部として、操作禁止札１００を挟持又は係止するクリップ６０（挟持手段、係止手段）を備えている。
【００２４】
クリップ６０は、弾性的に変形可能な板状の金属部材を概略Ｕ字状に曲げ加工することにより形成されている。クリップ６０は、一方の端部側に配置されて、本体１０の外面適所（本例では後端面１３）に固定される平板状の固定部６１と、他方の端部側に配置されて固定部６１に対して接近又は離間移動する可動部６２と、中間部に配置されて固定部６１と可動部６２とを連接する連接部６４とを備える。
可動部６２は、固定部６１に向けて屈曲形成された屈曲部６３を備えている。可動部６２のうち屈曲部６３よりも先端部６２ａ側は、固定部６１から離間する方向に延在している。固定部６１と可動部６２との先端部６１ａ，６２ａ間には、表示札１０１又は紐１０２を内部に形成された保持部６５内に導入する入口部６６を形成する。なお、保持部６５は、固定部６１、可動部６２、及び連接部６４によって包囲された空間であり、少なくとも紐１０２の長手方向の一部を収容可能な空間である。
【００２５】
クリップ６０は、屈曲部６３が固定部６１に接近した閉止姿勢（図４（ｂ）の実線にて示す）と、屈曲部６３が固定部６１から離間した開放姿勢（図４（ｂ）の破線にて示す）との間で弾性的に変位する。屈曲部６３は、常時においては閉止姿勢を取っており、外力を加えられることにより開放姿勢となる。
図４（ｂ）に示すように、入口部６６から表示札１０１を固定部６１に沿って保持部６５に向けて押し込むことにより、屈曲部６３が固定部６１から離間して表示札１０１の通過を許容する。図４（ｃ）に示すように、表示札１０１の端部が保持部６５内に進入した状態においては、屈曲部６３が表示札１０１を弾性付勢し、表示札１０１が固定部６１と屈曲部６３とによって挟圧保持される。
図４（ｂ）に示すように、入口部６６から紐１０２を保持部６５に向けて押し込むことにより、屈曲部６３が固定部６１から離間して紐１０２の通過を許容する。図４（ｄ）に示すように、紐１０２が保持部６５内に保持された状態では、屈曲部６３が元の形状である閉止姿勢に復帰して紐１０２の離脱を阻止する。
【００２６】
以上のように、本実施形態に示す表示部材取付具５はクリップ６０を備えているので、表示札１０１を挟持することも、紐１０２を係止することも可能となる。
なお、本例においてクリップ６０は、固定部６１において本体１０の後端面１３に接着剤等により固定されているが、クリップ６０は本体１０の周方向の外面に取り付けられてもよい。また、クリップ６０は、弾性を有する板状の金属部材から構成されているが、樹脂材料から構成されてもよい。更に、クリップ６０は本体１０と一体に形成されてもよい。
【００２７】
〔第四の実施形態〕
図５（ａ）〜（ｄ）は、本発明の第四の実施形態に係る表示部材取付具を示す側面図である。第一の実施形態と同一の構成には同一の符号を付してその説明を省略する。
本実施形態に係る表示部材取付具６は、操作禁止札１００を取り付ける取付部として、操作禁止札１００を挟持又は係止する洗濯ばさみ状の挟持手段７０を備えている。
挟持手段７０は、常時は互いに接近した状態（図５（ａ）に示す閉止姿勢）にあり、外力を加えられることにより弾性的に離間した状態（図５（ｂ）に示す開放姿勢）となる一対の挟持片７１（７１ａ，７１ｂ：取付片）を備える。各挟持片７１ａ，７１ｂは、長手方向の一端部に操作部７２を、中間部に軸支部７３を、他端部に表示札１０１を挟持する挟持部７４を備えている。一方の挟持片７１ａは、本体１０の後端面１３に固定されており、他方の挟持片７１ｂは、軸支部７３を中心として一方の挟持片７１ａに対して正逆方向に回動する。
【００２８】
図５（ａ）に示すように、挟持片７１ｂは軸支部７３に設けたトーションバネ７５等により挟持部７４，７４間を閉止する閉止姿勢に弾性付勢されている。常時において操作部７２，７２間は離間しており、図５（ｂ）に示すように、外力Ｆを加えて操作部７２，７２間を近接させることにより、挟持手段７０を挟持部７４，７４間が開放した開放姿勢に変位させることができる。
図５（ｂ）のように、挟持手段７０の操作部７２，７２に対して外力Ｆを加えて開放姿勢とした状態にて、両挟持部７４，７４間に表示札１０１（又は紐１０２）を挿入し、外力Ｆを取り除くことで、図５（ｃ）に示すように表示札１０１（又は紐１０２）を挟持部７４，７４によって挟圧保持することができる。
【００２９】
また、挟持部７４の対向面の少なくとも一方に溝７６を形成してもよい。図５（ｂ）のように、挟持手段７０を開放姿勢とした状態にて、両挟持部７４，７４間に紐１０２を挿入し、外力Ｆを取り除くことで、図５（ｄ）に示すように紐１０２を溝７６内に保持（係止）することができる。
以上のように、本実施形態に示す表示部材取付具６は洗濯ばさみ状の挟持手段７０を備えているので、表示札１０１又は紐１０２を挟圧保持することも、紐１０２を係止することも可能となる。
【００３０】
〔第五の実施形態〕
図６は、本発明の第五の実施形態に係る表示部材取付具を示す断面図である。第一の実施形態と同一の構成には同一の符号を付してその説明を省略する。
表示部材取付具７は、本体１０の内面に滑り止め８１（内部滑り止め）を備えてもよい。滑り止め８１は、中空部１１の内面から突出する複数の突起とすることができる。滑り止め８１は、操作レバー２０１に対して装着されたときに、操作レバー２０１からの脱落を防止する。
滑り止め８１は、本体１０と操作レバー２０１との間に働く摩擦力が、取り外し時よりも装着時の方が大きくなる構成とすることで、本体１０の操作レバー２０１からの脱落を効果的に防止することができる。このような滑り止め８１としては、本体１０の前後方向に沿って延びる内面に一端を支持されると共に、後方に向けて傾斜した複数の突起（或いはヒダ）とすることができる。
【００３１】
〔第六の実施形態〕
図７は、本発明の第五の実施形態に係る表示部材取付具を示す側面図である。第一の実施形態と同一の構成には同一の符号を付してその説明を省略する。
表示部材取付具８は、本体１０の外面に滑り止め９１（外部滑り止め）を備えてもよい。滑り止め９１は、例えば本体１０の外面から突出する複数の突起や突条とすることができる。滑り止め９１は、操作レバー２０１に対する表示部材取付具８の着脱時に、作業者の把持操作を容易にする。
なお、滑り止め９１を設ける代わりに、又は滑り止め９１と合わせて、本体１０の外面適所に着脱用のつまみを突出形成してもよい。
以上説明した各実施形態は、適宜組み合わせて実施することができる。
【００３２】
〔本発明の実施態様例と作用、効果のまとめ〕
＜第一の実施態様＞
本態様は、機器（配線用遮断器２００）を操作する操作レバー２０１の外面に着脱される表示部材取付具１であって、操作レバーを一端開口から内部に受け容れて嵌合させる中空筒状の本体１０と、本体の外部に配置されて、機器の操作状況を示した表示部材（操作禁止札１００）を取り付ける取付部２０と、を備えたことを特徴とする。
操作レバーは、例えば軸方向（又は長手方向）に略一様な断面形状を有し、表面が平滑な配線用遮断器の操作レバーである。また、表示部材は、例えば表示札１０１と環状の紐１０２を備えた構成とすることができる。操作レバーに対して紐を巻き付ける等の方法により表示部材を取り付けようとすると、紐が操作レバーの外面を滑動して、表示部材が脱落する虞がある。
本態様によれば、表示部材取付具の本体を操作レバーの外面に着脱でき、取付部に表示部材を取り付けることができる。より具体的には、本態様に係る表示部材取付具においては、本体の内部に操作レバーを嵌合させるので、本体が操作レバーの外面との間で摩擦力を発揮して、操作レバーから脱落することを防止できる。また、取付部は表示部材を挟持、係止する等の方法により表示部材を脱落不能に支持することができる。
【００３３】
＜第二の実施態様＞
本態様に係る表示部材取付具において、取付部は、表示部材を挟持する挟持手段（クリップ６０、挟持手段７０）を備えたことを特徴とする。
取付部に対する表示部材の取り付け方法には、種々の方法を採用できる。本態様においては、取付部をクリップや洗濯ばさみ等の挟持手段とし、表示部材（例えば、表示札１０１）を挟持することによって、表示部材を脱落不能に支持することができる。
【００３４】
＜第三の実施態様＞
本態様に係る表示部材取付具において、取付部は、常時は互いに接近した状態にあり、外力を加えられることにより弾性的に離間する一対の取付片（フック２１，２１、挟持片７１ａ，７１ｂ）を備えたことを特徴とする。
本態様に係る取付片は、取付片自体が弾性変形する構成（フック２１，２１）であってもよいし、取付片自体は弾性変形せず、取付片同士が接近方向に弾性付勢されている構成（挟持片７１ａ，７１ｂ）であってもよい。本態様においては、表示部材（操作禁止札１００の紐１０２）を取付片に係止させ、或いは表示部材（操作禁止札１００の表示札１０１又は紐１０２）を取付片によって挟持することができるので、表示部材を脱落不能に支持することができる。
【００３５】
＜第四の実施態様＞
本態様に係る表示部材取付具において、取付部２０は、環状の線材（紐１０２）を係止可能な鉤状のフック２１を備えたことを特徴とする。
本態様においては、表示部材（例えば、操作禁止札１００の紐１０２）を鉤状のフックに係止することによって、表示部材を脱落不能に支持することができる。なお、取付部は単一のフックを備える構成でも、複数のフックを備える構成であってもよい。
【００３６】
＜第五の実施態様＞
本態様に係る表示部材取付具において、取付部は、環状の線材（紐１０２）を係止可能な環状部材（３０，４０，５０）を備えたことを特徴とする。
本態様においては、表示部材（例えば、操作禁止札１００の紐１０２）を環状部材に締結すること等によって、表示部材を脱落不能に支持することができる。
【００３７】
＜第六の実施態様＞
本態様に係る表示部材取付具は、本体１０の内面に内部滑り止め（滑り止め８１）を備えたことを特徴とする。
本態様によれば、本体と操作レバーとの間の摩擦力を増大させて、本体が操作レバーから脱落することを防止する。
【００３８】
＜第七の実施態様＞
本態様に係る表示部材取付具は、本体１０の外面に外部滑り止め（滑り止め９１）を備えたことを特徴とする。
本態様によれば、滑り止めにより、作業者による把持操作が容易となる。
【符号の説明】
【００３９】
１〜８…表示部材取付具、１０…本体、１１…中空部、１３…後端面、２０…取付部、２１…フック（取付片）、２１ａ…一端部、２１ｂ…先端部、２３…入口部、２５…保持空間、３０…環状部材、３１…穴部、４０…環状部材、４１…穴部、４３…半環状部材、４３ａ…軸支部、４５…開口部、４７…開閉片、４７ａ…一端部、５０…半環状部（環状部材）、５１…穴部、６０…クリップ（挟持手段）、６１…固定部、６２…可動部、６２ａ…先端部、６３…屈曲部、６４…連接部、６５…保持部、６６…入口部、７０…挟持手段、７１，７１ａ，７１ｂ…挟持片（取付片）、７２…操作部、７３…軸支部、７４…挟持部、７５…トーションバネ、７６…溝、８１…滑り止め（内部滑り止め）、９１…滑り止め（外部滑り止め）、１００…操作禁止札（表示部材）、１０１…表示札、１０２…紐（線材）、２００…配線用遮断器（機器）、２０１…操作レバー
【図１】
2018120791.tif 000003
【図２】
2018120791.tif 000004
【図３】
2018120791.tif 000005
【図４】
2018120791.tif 000006
【図５】
2018120791.tif 000007
【図６】
2018120791.tif 000008
【図７】
2018120791.tif 000009
【図８】
2018120791.tif 000010